(57)【特許請求の範囲】
【請求項１】
電子機器本体部とリモコン部とからなる音声認識機能付き電子機器において、
前記リモコン部は、
音声を音声信号として入力するためのマイクロホンと、
前記電子機器本体部における複数の動作処理のカテゴリーの中から任意のカテゴリーを指定する指定手段と、
前記マイクロホンに音声信号が入力されたと認識された場合に、前記指定手段により指定されたカテゴリーに対応するＩｒ（Infrared rays）信号を前記電子機器本体部に送信する送信部と、
を備え、
前記電子機器本体部は、
音声を音声信号として入力するための音声入力部と、
前記送信部により送信されたＩｒ信号を受信する受信部と、
Ｉｒ信号に対応付けられた動作処理のカテゴリー毎に、音声信号と動作コマンドとを対応付けて記憶する記憶手段と、
前記音声入力部に入力された音声の入力時間と、前記受信部により受信されたＩｒ信号の入力時間との差が、所定の時間内である場合に、前記音声入力部により入力された音声信号が、前記リモコン部の前記マイクロホンに入力された音声信号であると判断する判断手段と、
前記判断手段により、前記音声入力部に入力された音声信号が、前記リモコン部の前記マイクロホンに入力された音声信号であると判断された場合、当該音声信号の音声認識を行い、前記受信部により受信したＩｒ信号に対応する前記記憶手段に記憶された動作処理のカテゴリーから動作コマンドを検索し、前記電子機器本体部の所定の動作を制御する制御手段と、
を備えることを特徴とする音声認識機能付き電子機器。
【請求項２】
電子機器本体部とリモコン部とからなる音声認識機能付き電子機器において
前記リモコン部は、
音声を音声信号として入力するためのマイクロホンと、
前記マイクロホンに音声信号が入力されたと認識された場合に、所定の識別信号を前記電子機器本体部に送信する送信部と、
を備え、
前記電子機器本体部は、
音声を音声信号として入力するための音声入力部と、
前記送信部により送信された識別信号を受信する受信部と、
前記音声入力部に入力された音声信号が、前記リモコン部のマイクロホンに入力された音声信号であるか否かを、前記受信部により受信された識別信号により判断する判断手段と、
前記判断手段により、前記音声入力部に入力された音声信号が、前記リモコン部の前記マイクロホンに入力された音声信号であると判断された場合、当該音声信号の音声認識を行い、当該音声認識結果に基づく前記電子機器本体部の所定の動作を制御する制御手段と、
を備えることを特徴とする音声認識機能付き電子機器。
【請求項３】
前記判断手段は、前記音声入力部に入力された音声の入力時間と、前記受信部により受信された識別信号の入力時間との差が、所定の時間内である場合に、前記音声入力部に入力された音声信号が、前記リモコン部の前記マイクロホンに入力された音声信号であると判断することを特徴とする請求項２に記載の音声認識機能付き電子機器。
【請求項４】
前記リモコン部は、
前記電子機器本体部における複数の動作処理のカテゴリーの中から任意のカテゴリーを指定する指定手段を備え、
前記送信部は、前記指定手段により指定されたカテゴリーに対応する識別信号を前記電子機器本体部に送信し、
前記電子機器本体部は、識別信号に対応付けられた動作処理のカテゴリー毎に、音声信号と動作コマンドとを対応付けて記憶する記憶手段を備え、
前記制御手段は、前記判断手段により、前記音声入力部に入力された音声信号が、前記リモコン部の前記マイクロホンに入力された音声信号であると判断された場合、当該音声信号の音声認識を行い、前記受信部により受信した所定の識別信号に対応する前記記憶手段に記憶された動作処理のカテゴリーから動作コマンドを検索し、前記電子機器本体部の所定の動作を制御することを特徴とする請求項２または３に記載の音声認識機能付き電子機器。
【請求項５】
前記識別信号は、Ｉｒ（Infrared rays）信号であることを特徴とする請求項２〜４のいずれか一項に記載の音声認識機能付き電子機器。
【発明の詳細な説明】
【技術分野】
【０００１】
本発明は、音声認識機能付き電子機器に関する。
【背景技術】
【０００２】
近年、テレビやビデオ等の電子機器の多機能化・高機能化が進むに伴い、これらを遠隔操作するリモートコントロール装置にも、様々な機能に対応し、かつ簡易な操作で遠隔操作可能なものが求められ、現在では、このような遠隔操作に音声認識技術を用いた電子機器が利用されている。
【０００３】
当該電子機器には、例えば、リモコン送信器でのキー操作によるリモコン信号ＲＫ又は音声信号が変換された赤外線ＲＶが、機器本体において共通のフォーマットのリモコンパルスＰ１又はＰ２に変換され、リモコンパルス切替信号に従い、リモコン選択部を介して、リモコンパルスＰ１とＰ２のいずれかを排他的に解読する機器がある（特許文献１参照）。
【０００４】
また、各種電子機器の遠隔操作に用いられるリモコン送信器に関し、簡易な操作で遠隔操作が可能なものとして、複数の送信部を設け、操作部の操作及び音声入力部への音声入力毎に、別々の送信部からリモコン信号を送信するリモコン送信器がある（特許文献２参照）。
【０００５】
また、リモートコントロール受信機が配備された被操作装置に設けた音声認識手段と、音声信号情報を転送手段により転送して被操作装置を制御するリモートコントロール送信器とからなるリモートコントロール装置がある（特許文献３参照）。
【特許文献１】特開２００３−２１９２０１号公報
【特許文献２】特開２００３−１１１１６４号公報
【特許文献３】特開平０７−０３０９８２号公報
【発明の開示】
【発明が解決しようとする課題】
【０００６】
しかしながら、電子機器本体側において音声認識を行うとした場合、電子機器本体を制御するための音声か周囲の雑音かを判断することが難しく、誤動作を生じてしまうおそれがある。
これに対して、上記特許文献１〜３に開示された装置では、リモコンに付されたマイクから入力された音声信号を音声認識により、所定の制御信号に変換し、各種電子機器本体の操作を行うものであり、電子機器本体側で音声認識を行う場合には適用できず、上記した誤動作の問題を解決することはできない。
【０００７】
本発明の課題は、音声認識により電子機器の遠隔操作を行う場合の誤作動を好適に低減することができる電子機器を提供することである。
【課題を解決するための手段】
【０００８】
上記課題を解決するため、請求項１に記載の発明による発明は、電子機器本体部とリモコン部とからなる音声認識機能付き電子機器において、
前記リモコン部は、
音声を音声信号として入力するためのマイクロホンと、
前記電子機器本体部における複数の動作処理のカテゴリーの中から任意のカテゴリーを指定する指定手段と、
前記マイクロホンに音声信号が入力されたと認識された場合に、前記指定手段により指定されたカテゴリーに対応するＩｒ（Infrared rays）信号を前記電子機器本体部に送信する送信部と、
を備え、
前記電子機器本体部は、
音声を音声信号として入力するための音声入力部と、
前記送信部により送信されたＩｒ信号を受信する受信部と、
Ｉｒ信号に対応付けられた動作処理のカテゴリー毎に、音声信号と動作コマンドとを対応付けて記憶する記憶手段と、
前記音声入力部に入力された音声の入力時間と、前記受信部により受信されたＩｒ信号の入力時間との差が、所定の時間内である場合に、前記音声入力部により入力された音声信号が、前記リモコン部の前記マイクロホンに入力された音声信号であると判断する判断手段と、
前記判断手段により、前記音声入力部に入力された音声信号が、前記リモコン部の前記マイクロホンに入力された音声信号であると判断された場合、当該音声信号の音声認識を行い、前記受信部により受信したＩｒ信号に対応する前記記憶手段に記憶された動作処理のカテゴリーから動作コマンドを検索し、前記電子機器本体部の所定の動作を制御する制御手段と、
を備えることを特徴とする。
【０００９】
請求項２に記載の発明による発明は、電子機器本体部とリモコン部とからなる音声認識機能付き電子機器において
前記リモコン部は、
音声を音声信号として入力するためのマイクロホンと、
前記マイクロホンに音声信号が入力されたと認識された場合に、所定の識別信号を前記電子機器本体部に送信する送信部と、
を備え、
前記電子機器本体部は、
音声を音声信号として入力するための音声入力部と、
前記送信部により送信された識別信号を受信する受信部と、
前記音声入力部に入力された音声信号が、前記リモコン部の前記マイクロホンに入力された音声信号であるか否かを、前記受信部により受信された識別信号により判断する判断手段と、
前記判断手段により、前記音声入力部に入力された音声信号が、前記リモコン部の前記マイクロホンに入力された音声信号であると判断された場合、当該音声信号の音声認識を行い、当該音声認識結果に基づく前記電子機器本体部の所定の動作を制御する制御手段と、
を備えることを特徴とする。
【００１０】
請求項３に記載の発明による発明は、請求項２に記載の発明において、
前記判断手段は、前記音声入力部に入力された音声の入力時間と、前記受信部により受信された識別信号の入力時間との差が、所定の時間内である場合に、前記音声入力部に入力された音声信号が、前記リモコン部の前記マイクロホンに入力された音声信号であると判断することを特徴とする。
【００１１】
請求項４に記載の発明による発明は、請求項２または３に記載の発明において、
前記リモコン部は、
前記電子機器本体部における複数の動作処理のカテゴリーの中から任意のカテゴリーを指定する指定手段を備え、
前記送信部は、前記指定手段により指定されたカテゴリーに対応する識別信号を前記電子機器本体部に送信し、
前記電子機器本体部は、識別信号に対応付けられた動作処理のカテゴリー毎に、音声信号と動作コマンドとを対応付けて記憶する記憶手段を備え、
前記制御手段は、前記判断手段により、前記音声入力部に入力された音声信号が、前記リモコン部の前記マイクホンに入力された音声信号であると判断された場合、当該音声信号の音声認識を行い、前記受信部により受信した所定の識別信号に対応する前記記憶手段に記憶された動作処理のカテゴリーから動作コマンドを検索し、前記電子機器本体部の所定の動作を制御することを特徴とする。
【００１２】
請求項５に記載の発明による発明は、請求項２〜４のいずれか一項に記載の発明において、前記識別信号は、Ｉｒ（Infrared rays）信号であることを特徴とする。
【発明の効果】
【００１３】
請求項１に記載の発明によれば、判断手段によって、音声入力部に入力された音声の入力時間と、受信部により受信されたＩｒ信号の入力時間との差が、所定の時間内である場合に、音声入力部に入力された音声信号が、リモコン部のマイクロホンに入力された音声信号であると判断することができ、判断手段により、音声入力部に入力された音声信号がリモコン部のマイクロホンに入力された音声信号であると判断された場合、制御手段によって、当該音声信号の音声認識を行い、受信部により受信したＩｒ信号に対応する記憶手段に記憶された動作処理のカテゴリーから動作コマンドを検索し、電子機器本体部の所定の動作を制御することができる。
従って、電子機器本体部に音声信号が入力された場合、当該音声信号が、電子機器本体部を制御するための音声信号か周囲の雑音かを、より的確に判断することができることとなって、電子機器本体部の遠隔操作を行う場合の誤作動をより好適に低減することができる。
また、マイクロホンから入力された音声信号を識別するとともに、指定手段により指定された動作処理のカテゴリーに対応するＩｒ信号を電子機器本体部に送信するので、予め、音声認識結果に基づく動作コマンドの検索範囲を任意の動作処理のカテゴリーに絞り込むことができ、動作コマンド検索の効率を上げることができる。
さらに、識別信号には、Ｉｒ信号を用いているので、送信部の消費電力を低くすることができる。
【００１４】
請求項２に記載の発明によれば、判断手段により、音声入力部に入力された音声信号が、リモコン部のマイクロホンに入力された音声信号であるか否かを、受信部により受信された識別信号により判断することができ、判断手段により、音声入力部に入力された音声信号が、リモコン部のマイクロホンに入力された音声信号であると判断された場合、制御手段によって、当該音声信号の音声認識を行い、当該音声認識結果に基づく電子機器本体部の所定の動作を制御することができる。
従って、電子機器本体部に音声信号が入力された場合、当該音声信号が、電子機器本体部を制御するための音声信号か周囲の雑音かを、より的確に判断することができることとなって、電子機器本体部の遠隔操作を行う場合の誤作動を好適に低減することができる。
【００１５】
請求項３に記載の発明によれば、請求項２に記載の発明と同様の効果が得られることは無論のこと、判断手段によって、音声入力部に入力された音声の入力時間と、受信部により受信された識別信号の入力時間との差が、所定の時間内である場合に、音声入力部に入力された音声信号が、リモコン部のマイクロホンに入力された音声信号であると判断することができる。
従って、電子機器本体部に音声信号が入力された場合、当該音声信号が、電子機器本体部を制御するための音声信号か周囲の雑音かの判断を、確実に行うことができる。
【００１６】
請求項４に記載の発明によれば、請求項２または３に記載の発明と同様の効果が得られることは無論のこと、マイクロホンから入力された音声信号を識別するとともに、指定手段によって指定された動作処理のカテゴリーに対応する所定の識別信号を電子機器本体部に送信するので、予め、音声認識結果に基づく動作コマンドの検索範囲を任意の動作処理のカテゴリーに絞り込むことができ、動作コマンド検索の効率を上げることができる。
【００１７】
請求項５に記載の発明によれば、請求項２〜４に記載の発明と同様の効果が得られることは無論のこと、識別信号には、Ｉｒ信号を用いているので、送信部の消費電力を低くすることができる。
【発明を実施するための最良の形態】
【００１８】
以下、図面を参照しながら、本発明の実施の形態を詳細に説明する。
なお、本実施の形態では、電子機器として、ディジタルテレビ受像機を例に説明する。しかし、電子機器はこれに限られることなく、例えば、ビデオやエアコン等の家電機器であっても良い。
【００１９】
まず、図１を参照しながら、機器全体の構成及び要部構成について説明する。
本実施形態のディジタルテレビ受像機１００は、例えば、テレビジョン放送信号（以下、放送信号という。）を受信し、受信した放送信号を、所定の出力信号に変換し、映像／音声データを出力する電子機器本体部としての機器本体部１と、ユーザが各種指示を遠隔操作によって音声入力するためのリモコン部としてのリモートコントロール装置（以下、リモコンという。）２と、を備えて構成されている。
【００２０】
次に、ディジタルテレビ受像機１００の要部構成について説明する。
機器本体部１は、放送信号を受信するアンテナ３と、アンテナ３により受信された放送信号から所定の放送チャンネルの放送信号を選局するチューナ４と、チューナ４から出力された放送信号の復調及び誤り訂正処理を行う復調部５と、復調部５で復調された放送信号に付加されている不正視聴防止用のスクランブル信号を解除するデスクランブル６と、デスクランブル６で解除された放送信号から各データを分離抽出することで、映像／音声データを取得するデマルチクサ７と、デマルチクサ７で取得された映像／音声データに伸張処理を行うデコーダ８と、デコーダ８で伸張された映像データにＯＳＤデータを付加するＯＳＤ（On-Screen Character Display）処理部９と、デコーダ８、ＯＳＤ処理部９で処理された映像／音声データを出力する受像部１０と、音声を音声信号として入力する音声入力部１１と、リモコン２からのＩｒ信号を受信する受信部１２と、機器本体部１全体を統括制御する制御部１３と、各部を接続する制御バス１４と、を備えて構成されている。
なお、音声入力部は、例えば、音声をそのまま音声信号として入力する場合に限らず、音声が音声信号に変換された後に入力される設計であっても良い。
【００２１】
リモコン２は、例えば、図２に示すように、音声を音声信号として入力するためのマイクロホン２１と、音声信号を識別するための識別信号としてのＩｒ信号を送信する送信部２２と、機器本体部１における複数の動作処理のカテゴリーの中から任意のカテゴリーを指定する操作部２３と、を備えて構成されている。
具体的には、操作部２３は、図２に示すように、指定手段として機能する機器本体部１における複数の動作処理のカテゴリーの中から任意のカテゴリーを指定するための操作キー（Ｉｒ１キー２３ａ、Ｉｒ２キー２３ｂ、Ｉｒ３キー２３ｃ）と、その他、チャンネルボタンや方向指定キーなどで構成されている。また、送信部２２は、赤外線通信機能により、コマンドを制御対象である機器本体部１に対して送信する機能を有し、例えば、マイクロホン２１に音声信号が入力された場合には、入力された音声による振動を認識することにより、操作キー２３ａの押圧操作により指定されたカテゴリーに対応するＩｒ信号を送信する。
【００２２】
制御部１３は、例えば、図１に示すように、ＣＰＵ（Central Processing Unit）１３１と、ＲＡＭ（Random Access Memory）１３２と、記憶部１３３と、などを備えている。
【００２３】
ＣＰＵ１３１は、記憶部１３３に記憶された各種処理プログラム及びコマンドテーブルに従って各種の制御動作を行う。
【００２４】
ＲＡＭ１３２は、ＣＰＵ１３１によって実行される処理プログラムなどを展開するためのプログラム格納領域や、入力データや上記処理プログラムが実行される際に生じる処理結果などを格納するデータ格納領域などを備える。
【００２５】
記憶部１３３は、機器本体部１で実行可能なシステムプログラム、当該システムプログラムで実行可能な各種処理プログラム、これら各種処理プログラムを実行する際に使用されるデータ、ＣＰＵ１３１によって演算処理された処理結果のデータなどを記憶する。なお、プログラムは、コンピュータが読み取り可能なプログラムコードの形で記憶部１３３に記憶されている。
具体的には、記憶部１３３には、例えば、図１に示すように、判断プログラム１３３ａと、制御プログラム１３３ｂと、Ｉｒ信号に対応付けられた動作処理のカテゴリー毎に、音声信号と動作コマンドとを対応付けて記憶したコマンドテーブル１３３ｃなどが記憶されている。
【００２６】
判断プログラム１３３ａは、ＣＰＵ１３１に、音声入力部１１に入力された音声信号が、リモコン２のマイクロホン２１に入力された音声信号であるか否かを判断する機能を実現させるプログラムである。
具体的には、ＣＰＵ１３１は、判断プログラム１３３ａを実行することにより、音声入力部１１に入力された音声の入力時間と、受信部１２により受信されたＩｒ信号の入力時間との差が、所定の時間内である場合に、音声入力部１１に入力された音声信号が、リモコン２のマイクロホン２１に入力された音声信号であると判断する。
ＣＰＵ１３１は、かかる判断プログラム１３３ａを実行することにより、判断手段として機能する。
【００２７】
制御プログラム１３３ｂは、ＣＰＵ１３１に、音声認識結果に基づく所定の動作処理を制御する機能を実現させるプログラムである。
具体的には、ＣＰＵ１３１は、制御プログラム１３３ｂを実行することにより、判断プログラム１３３ａの実行によって、音声入力部１１に入力された音声信号が、リモコン２のマイクロホン２１に入力された音声信号であると判断された場合、当該音声信号の音声認識を行い、受信部１２により受信したＩｒ信号に対応するコマンドテーブル１３３ｃに記憶された動作処理のカテゴリーから動作コマンドを検索し、機器本体部１の所定の動作を制御する。ここで、音声認識は、例えば、Ｊｕｌｉｕｓという音声認識ソフトウェアのように、膨大な音声パターンと言語パターンの統計データを集積することにより実現され、音声認識の基本原理は、音響モデル（音素（ローマ字１文字にほぼ相当）や音節（かな１文字に相当））の周波数パターンを保持し、入力音声とマッチングを行うものである。
ＣＰＵ１３１は、かかる制御プログラム１３３ｂを実行することにより、制御手段として機能する。
【００２８】
コマンドテーブル１３３ｃは、Ｉｒ信号に対応付けられた動作処理のカテゴリー毎に、音声信号と動作コマンドとを対応付けて記憶したコマンドテーブルである。
具体的には、例えば、図３に示すように、図２のＩｒ１キー２３ａに対応したＩｒ１は、チャンネル切替等の動作処理のカテゴリーに対応付けられ、さらに、「チャンネルアップ」、「チャンネルダウン」、「メニュー」等の音声信号が、所定の動作コマンドと対応付けられて記憶されている。
記憶部１３３は、かかるコマンドテーブル１３３ｃを記憶することで、記憶手段として機能する。
【００２９】
次に、本発明のリモコン２の動作について、本発明の実施形態であるディジタルテレビ受像機の動作を例に図４を用いて説明する。
最初、リモコン２は、ユーザによる音声入力待機状態にある。そして、例えば、ユーザが「チャンネルアップ」を行いたい場合、ステップＳ１で、「チャンネルアップ」の動作を含むカテゴリーに対応付けられた操作キー（Ｉｒ１キー２３ａ）を指定するとともに「チャンネルアップ」とリモコン２のマイクロホン２１に発声する。すると、ステップS２で、ユーザによりリモコン２のマイクロホン２１に音声入力があったと認識され（ステップS２；Ｙｅｓ）、ステップS３へ進む。一方、音声入力がない場合（ステップS２；Ｎｏ）は、再度、音声入力待機状態となる。
【００３０】
次いで、ステップS３において、リモコン２は、所定のＩｒ信号（Ｉｒ１信号）を送信部２２から機器本体部１に送信する。以降、ステップS１からの処理を繰り返す。
【００３１】
次に、本発明の機器本体部１の動作について、図５を用いて説明する。
まず、ステップS１１において、ＣＰＵ１３１は、音声入力部１１より「チャンネルアップ」の音声を音声信号として入力すると、判断プログラム１３３ａを実行することにより、音声入力部１１に入力された音声の入力時間と、受信部１２により受信されたＩｒ１信号の入力時間との差が、所定の時間内であるか否かを判断する（ステップＳ１２）。
【００３２】
ステップＳ１２において、ＣＰＵ１３１は、Ｉｒ１信号を所定の時間内に受信したと判断した場合（ステップＳ１２；Ｙｅｓ）、ステップＳ１３へ進む。一方、ＣＰＵ１３１は、Ｉｒ１信号を所定の時間内に受信していないと判断した場合（ステップＳ１２；Ｎｏ）、本処理を終了する。
【００３３】
次いで、ＣＰＵ１３１は、制御プログラム１３３ｂを実行することにより、ステップＳ１３において、音声入力部１１に入力された「チャンネルアップ」の音声信号に基づき音声認識処理を行い、当該処理結果に基づき、受信部１２により受信したＩｒ１信号に対応するコマンドテーブル１３３ｃに記憶されたチャンネル切替に関する動作処理のカテゴリー（Ｉｒ１）から動作コマンドを検索する。
【００３４】
次いで、ＣＰＵ１３１は、ステップＳ１４において、検索された「チャンネルアップ」に対応する動作コマンドに基づく機器本体部１の制御を行い、本処理を終了する。
【００３５】
以上説明した本発明にかかるディジタルテレビ受像機１００によれば、ＣＰＵ１３１が判断プログラム１３３ａを実行することによって、音声入力部１１に入力された音声の入力時間と、受信部１２により受信されたＩｒ信号の入力時間との差が、所定の時間内である場合に、音声入力部１１に入力された音声信号が、リモコン２のマイクロホン２１に入力された音声信号であると判断することができ、ＣＰＵ１３１により、音声入力部１１に入力された音声信号がリモコン２のマイクロホン２１に入力された音声信号であると判断された場合、ＣＰＵ１３１が制御プログラム１３３ｂを実行することによって、当該音声信号の音声認識を行い、受信部１２により受信したＩｒ信号に対応するコマンドテーブル１３３ｃに記憶された動作処理のカテゴリーから動作コマンドを検索し、機器本体部１の所定の動作を制御することができる。
従って、機器本体部１に音声信号が入力された場合、当該音声信号が、機器本体部１を制御するための音声信号か周囲の雑音かを、より的確に判断することができることとなって、機器本体部１の遠隔操作を行う場合の誤作動をより好適に低減することができる。
また、マイクロホン２１から入力された音声信号を識別するとともに、操作部２３により指定された動作処理のカテゴリーに対応するＩｒ信号を機器本体部１に送信するので、予め、音声認識結果に基づく動作コマンドの検索範囲を任意の動作処理のカテゴリーに絞り込むことができ、動作コマンド検索の効率を上げることができる。
さらに、識別信号には、Ｉｒ信号を用いているので、送信部２２の消費電力を低くすることができる。
【００３６】
なお、本発明は、上記実施の形態に限定されることなく、本発明の趣旨を逸脱しない範囲において、種々の改良並びに設計の変更を行っても良い。
例えば、判断手段で判断される、音声の入力時間と、識別信号の入力時間との差は、ユーザが選択により条件設定を行うことができ、ユーザ所望のタイムラグを設定することができる設計であっても良い。
また、識別信号は、リモコン部に当該識別信号を送信するための操作キーを設け、ユーザにより、かかる操作キーを押下することで識別信号を送信する設計であっても良い。
識別信号は、Ｉｒ信号のみならず、電波を用いた電波信号、可視光線等（レーザー・ＬＥＤ等）を用いた光無線信号、超音波を用いた超音波信号などでもよい。
また、コマンドテーブルは、電子機器の動作処理のカテゴリーに限らず、複数の電子機器をリモコンにより操作することができる場合には、夫々の電子機器毎のカテゴリーによって、音声信号と動作コマンドとを対応付けて記憶する設計であっても良い。
また、電子機器本体部における複数の動作処理のカテゴリーの中から任意のカテゴリーを指定する指定手段として、夫々のカテゴリーに対応する操作キーを用いたが、これに限らず、切替スィッチ等により、予め、スィッチを切替えて任意のカテゴリーに設定を行う設計であっても良い。また、カテゴリーの設定は必須ではなく、マイクロホンにより音声が入力された場合、常に同一のＩｒ信号を送信する構成であっても良い。
【図面の簡単な説明】
【００３７】
【図１】本発明にかかるディジタルテレビ受像機の全体構成及び要部構成を示すブロック図である。
【図２】本発明におけるリモコン部の１例を示すイメージ図である。
【図３】本発明におけるコマンドテーブルの１例を示す図である。
【図４】本発明におけるリモコン部の動作処理を示すフローチャートである。
【図５】本発明における機器本体部の動作処理を示すフローチャートである。
【符号の説明】
【００３８】
１００    ディジタルテレビ受像機（音声認識機能付き電子機器）
１        機器本体部
２        リモコン
２１      マイクロホン
２２      送信部
２３      操作部（指定手段）
１１      音声入力部
１２      受信部
１３１    ＣＰＵ（判断手段、制御手段）
１３３ａ  判断プログラム（判断手段）
１３３ｂ  制御プログラム（制御手段）
１３３ｃ  コマンドテーブル（記憶手段）
【図１】
0004670716.tif 000002
【図２】
0004670716.tif 000003
【図３】
0004670716.tif 000004
【図４】
0004670716.tif 000005
【図５】
0004670716.tif 000006